(57)【要約】【課題】長時間着用したときや力強く踏ん張ったとき、足の指間を痛める恐れがなく履き心地のよい地下足袋を提供する。【解決手段】外側布片１１と内側布片１２とを縫い合わせて甲布１３とし、この甲布１３の裾縁を、中底、外底に接合一体化した地下足袋１０において、上記甲布１３の親指と他の四指間の股割れ部で連続して幅布１７を巡らせて縫い合わせ、この幅布１７を介して中底１８・外底１９に接合一体化したもので、上記接合手段として接着の他、縫合と接着を併用することができ、上記幅布１７は、踵部分から両側に分かれて土踏まず部分に至る後部幅布１７ｅと、上記股割れ部分から爪先を経て両側に分かれ土踏まず部分に至る前部幅布１７ｔとからなり、上記前部幅布１７ｔは後部幅布１７ｅの上に重なり、重なった幅布１７の前方上縁から後方下縁に至る傾斜線に沿って縫合１７ｓされてなり、上記幅布の踵回りと、親指側部と、土踏まず部分と、小指側部を包む部分外面に補強ゴム被覆２１を施してなる。【選択図】図1
2006081583.tif 000002
【特許請求の範囲】
【請求項１】
親指を除く四指の爪先から外側甲部、外側足首部、足首後部を包む外側布片と、親指の爪先から内側甲部、内側足首部、足首後部を包む内側布片とを縫い合わせて甲布とし、この甲布の裾縁を中底・外底に接合一体化した地下足袋において、前記甲布の裾縁に、親指と他の四指間の股割れ部で連続して幅布を巡らせて縫い合わせ、この幅布を介して中底・外底に接合一体化したことを特徴とする地下足袋。
【請求項２】
上記接合一体化の手段は、縫合と接着を併用したことを特徴とする請求項１に記載の地下足袋。
【請求項３】
上記幅布は、踵部分から両側に分かれて土踏まず部分に至る後部幅布と、上記股割れ部分から爪先を経て両側に分かれ土踏まず部分に至る前部幅布とからなり、前記前部幅布は前記後部幅布の上に重なり、重なった幅布の前方上縁から後方下縁に至る傾斜線に沿って縫合されてなることを特徴とする請求項1または２に記載の地下足袋。
【請求項４】
上記幅布の踵回りと、親指側部と、土踏まず部分と、小指側部を包む部分外面に補強ゴム被覆を施したことを特徴とする請求項1乃至３のいずれかに記載の地下足袋。
【発明の詳細な説明】
【技術分野】
【０００１】
この発明は、親指と他の四指との間で股割れ部分を形成し、この股割れ部分に縫い目ができないようにして履き心地をよくした地下足袋に関する。
【背景技術】
【０００２】
地下足袋の先行技術として特許文献１がある。
【０００３】
【特許文献１】特開昭６２−２２４３０１号公報（図面および実施例の説明）
【０００４】
上記特許文献1の地下足袋は、甲布が内側部分と外側部分とに分かれており、両者が縫合され、縫合された縫い目が親指と他の四指との間にできる股割れ部分に位置しているため履き心地が悪く、力を入れて踏ん張り、また長時間着用していると縫い目の存在によって親指と人差し指との間を擦過して痛めてしまう恐れがある。
【発明の開示】
【発明が解決しようとする課題】
【０００５】
上記に鑑みこの発明は、長時間着用したときや力強く踏ん張ったとき、足の指間を痛める恐れがなく履き心地のよい地下足袋を提供することを課題とする。
【課題を解決するための手段】
【０００６】
上記課題を解決するためにこの発明は、親指を除く四指の爪先から外側甲部、外側足首部、足首後部を包む外側布片と、親指の爪先から内側甲部、内側足首部、足首後部を包む内側布片とを縫い合わせて甲布とし、この甲布の裾縁を中底・外底に接合一体化した地下足袋において、上記甲布の裾縁に親指と他の四指間の股割れ部で連続して幅布を巡らせて縫い合わせ、この幅布を介して中底・外底に接合一体化した（請求項１）もので、上記接合一体化の手段は、縫合と接着を併用する（請求項２）ことができ、上記幅布は、踵部分から両側に分かれて土踏まず部分に至る後部幅布と、上記股割れ部分から爪先を経て両側に分かれ土踏まず部分に至る前部幅布とからなり、上記前部幅布は後部幅布の上に重なり、重なった幅布の前方上縁から後方下縁に至る傾斜線に沿って縫合されてなる（請求項３）もので、上記幅布の踵回りと、親指側部と、土踏まず部分と、小指側部を包む部分外面に補強ゴム被覆を施してなる（請求項４）ものである。
【発明の効果】
【０００７】
上記の如く構成するこの発明に係る地下足袋は、着用したとき足の親指と他の四指との間にできる股割れ部に縫い目が存在しないので履き心地がよく、長時間着用したときや力強く踏ん張ったときでも親指と四指の指股を擦過して痛める恐れがない。また、接合手段として、縫合と接着を併用することにより一層強度を上げることができる。
【０００８】
また、幅布を土踏まずの部分で重ね合わせ、その前方上縁から後方下縁に至る傾斜線に沿って縫合することにより、強く踏ん張ったとき、足と地下足袋との一体性が向上して捻挫を防止する効果を発揮する。
【０００９】
また、幅布の踵回りと、親指側部と、土踏まず部分と、小指側部を包む部分外面に補強ゴム被覆を施すことにより着用時の一体感が一層向上して長時間の着用にも疲労を感じず捻挫防止効果が一層大きくなる。
【発明を実施するための最良の形態】
【００１０】
次に本発明の実施の形態を、図面を参照しながら説明する。親指を除く四指の爪先から外側甲部、外側足首部、足首後部を包む外側布片１１と、親指の爪先から内側甲部から内側足首部、足首後部を包む内側布片１２とを縫い合わせて甲布１３とし、上記外側布片１１の後端に内側布片１２の後端に重なる合わせ布片１４を縫い合わせ、この合わせ布片１４に小ハゼ１５を縫い付け、上記内側布片１１の後端に撚り糸を縫いつけて小ハゼ掛け１６を形成する
【００１１】
上記合わせ布片１４を含む甲布１３の下縁後方（踵部分）から両側に分かれて土踏まず部分まで後部幅布１７ｅを巡らせて縫合し、上記甲布１３の下縁前端、股割れ部分から爪先を経て両側に分かれ土踏まず部分まで前部幅布１７ｔを巡らせて縫合し、こうして重なり合った前・後幅布１７の前方上縁から後方下縁に向け傾斜線に沿って縫合１７ｓし一体にしている。
【００１２】
上記の如く甲布１３の下縁に巡らせた幅布の下縁は、中底１８と外底１９の間に接着剤２０と共に差し込まれ、図示しない内型・外型を用いて所定の温度・圧力で、加熱・加圧されて中底１８、外底１９が一体になるとともに、甲布は幅布１７を介して接着一体化されて地下足袋１０が完成する。
【００１３】
なお、上記製造工程において甲布１３と幅布１７の下縁を中底１８の裏側に曲げ回して縫合し、その上で外底１９、甲布１３と幅布１７の下縁、および中底１８とを接着一体化すれば一層強度を大きくすることができる。
【００１４】
また、上記中底１８、外底１９に幅布１７を介しての甲布１３を接合一体化する工程において、踵回り、親指側部、土踏まず両側部分および小指側部を包む甲布１３の外面に補強ゴム被覆２１が同時に施される。
【産業上の利用可能性】
【００１５】
以上説明したようにこの発明品は、甲布裾縁に幅布を巡らせ、この幅布を介して中底、外底に接合一体化しているので、履き心地が良くなり、長時間着用し、力強く踏ん張ったときでも親指と四指の指股を痛めることがなく、足によくフィットするので捻挫を防止する効果を発揮するもので、新しい市場が開け産業上の利用可能性が極めて高い物である。
【図面の簡単な説明】
【００１６】
【図１】この発明に係る地下足袋の前部斜視図
【図２】同後部斜視図
【図３】（ａ）指股部切り欠き平面図、（ｂ）指股部断面図
【図４】地下足袋の前部分解図
【符号の説明】
【００１７】
１０  地下足袋
１１  外側布片
１２  内側布片
１３  甲布
１４  合わせ布片
１５  小ハゼ
１６  小ハゼ掛け
１７  幅布
１７ｅ  後部幅布
１７ｔ  前部幅布
１７ｓ  縫合
１８  中底
１９  外底
２０  接着剤
２１  補強ゴム被覆
【図１】
2006081583.tif 000003
【図２】
2006081583.tif 000004
【図３】
2006081583.tif 000005
【図４】
2006081583.tif 000006